(57)【要約】  本願は電池の荷電状態の修正方法、装置、システム及び記憶媒体を開示する。当該方法は、電池の現在開路電圧測定値を確定し、現在開路電圧測定値がヒステリシス電圧区間内にあるか否かを確定することと、現在開路電圧測定値がヒステリシス電圧区間内にある場合、充電状態時の現在開路電圧測定値に対応する充電荷電状態値、及び放電状態時の現在開路電圧測定値に対応する放電荷電状態値を確定することと、充電荷電状態値及び放電荷電状態値で形成される荷電状態信頼区間に基づいて、荷電状態修正目標値を確定し、電池の現在荷電状態を修正することと、を含む。本願の実施例に係る方法によれば、ヒステリシス特性を有する電池の荷電状態が修正され、電池の荷電状態値を推定する正解度を向上できる。【選択図】図２
2021532336.tif 000002
【特許請求の範囲】
【請求項１】
電池の荷電状態の修正方法であって、
電池の現在開路電圧測定値を確定し、前記現在開路電圧測定値がヒステリシス電圧区間内にあるか否かを確定し、前記ヒステリシス電圧区間内の開路電圧測定値は、前記電池の充電状態時の荷電状態値と放電状態時の荷電状態値とが等しい時に、前記充電状態時の荷電状態値に対応する開路電圧値が、前記放電状態時の荷電状態値に対応する開路電圧値と異なることを満たすことと、
前記現在開路電圧測定値が前記ヒステリシス電圧区間内にある場合、充電状態時の前記現在開路電圧測定値に対応する充電荷電状態値と、放電状態時の前記現在開路電圧測定値に対応する放電荷電状態値とを確定すること、
前記充電荷電状態値及び前記放電荷電状態値で形成される荷電状態信頼区間に基づいて、荷電状態修正目標値を確定し、前記電池の現在荷電状態を修正することと、
を含む、電池の荷電状態の修正方法。
【請求項２】
現在荷電状態値が前記荷電状態信頼区間の下境界値未満である場合、前記荷電状態修正目標値は前記下境界値であり、
前記現在荷電状態値が前記荷電状態信頼区間の上境界値より大きい場合、前記荷電状態修正目標値は前記上境界値であり、
ここで、前記下境界値は、前記充電荷電状態値及び前記放電荷電状態値のうちの小さい値であり、前記上境界値は、前記充電荷電状態値及び前記放電荷電状態値のうちの大きい値である、
請求項１に記載の荷電状態の修正方法。
【請求項３】
前記充電荷電状態値及び前記放電荷電状態値で形成される荷電状態信頼区間に基づいて、荷電状態修正目標値を確定することは、
現在荷電状態値及び履歴荷電状態値で形成される荷電状態変化経路を確定し、開路電圧推定モデル組立体に基づいて前記荷電状態変化経路を処理して、現在開路電圧推定値を取得することと、
前記現在開路電圧推定値及び前記現在開路電圧測定値で形成される電圧差分値の絶対値が電圧差分値の閾値以上である場合、前記荷電状態信頼区間及び予め設定された誤差範囲等分パラメータに基づいて、修正毎の荷電状態修正変化量を確定することと、
前記荷電状態修正変化量及び前記電圧差分値の正負に基づいて、前記現在荷電状態値を修正して、前記現在荷電状態値の修正値を取得することと、
前記現在荷電状態値の修正値及び前記履歴荷電状態値で形成される新たな荷電状態変化経路を確定し、前記電圧差分値の絶対値が前記電圧差分値の閾値未満になると、前記現在荷電状態値の修正値を前記荷電状態修正目標値とすることと、
を含む、請求項１に記載の荷電状態の修正方法。
【請求項４】
前記開路電圧推定モデル組立体に基づいて前記荷電状態変化経路を処理して、現在開路電圧推定値を取得することは、
前記現在荷電状態値、及び充電状態時の前記電池の荷電状態と開路電圧との対応関係に基づいて、前記現在荷電状態値に対応する第１の開路電圧値を確定することと、
前記現在荷電状態値、及び放電状態時の前記電池の荷電状態と開路電圧との対応関係に基づいて、前記現在荷電状態値に対応する第２の開路電圧値を確定することと、
開路電圧推定モデル組立体に基づいて前記荷電状態変化経路を処理して、開路電圧重み係数を確定し、前記開路電圧重み係数を用いて、前記第１の開路電圧値と前記第２の開路電圧値とを重み付け融合して、前記現在開路電圧推定値を取得することと、
を含む、請求項３に記載の荷電状態の修正方法。
【請求項５】
前記履歴荷電状態値は、予め順に記録されている前記電池のＮ回の電流方向の変化時の対応するＮ個の荷電状態値を含み、Ｎ番目の荷電状態値は、前記現在荷電状態の前回の電流方向の変化時の荷電状態値であり、Ｎは１以上であり、
前記荷電状態変化経路は、記録タイミングの前後に取得された前記履歴荷電状態値中の各荷電状態値及び前記現在荷電状態値を含む、
請求項３に記載の荷電状態の修正方法。
【請求項６】
前記開路電圧推定モデル組立体に基づいて前記荷電状態変化経路を処理して、開路電圧重み係数を確定することは、
前記荷電状態変化経路における荷電状態値の記録タイミングの前後に応じて、毎回の電流方向の変化、及び毎回の前記電流方向の変化に対応する荷電状態変化量を順に確定することと、
初回の電流方向の変化、及び初回の電流方向の変化に対応する荷電状態変化量に基づいて、ヒステリシス演算子の初期値を確定することと、
初回以外の電流方向の変化、及び初回以外の電流方向の変化時の荷電状態変化量に基づいて、前記ヒステリシス演算子を更新することと、
予めキャリブレーションされた前記ヒステリシス演算子の重み係数を用いて、更新後の前記ヒステリシス演算子に重み付け融合を行い、開路電圧重み係数を取得することと、
を含む、請求項４に記載の荷電状態の修正方法。
【請求項７】
前記荷電状態信頼区間及び予め設定された誤差範囲等分パラメータに基づいて、修正毎の荷電状態修正変化量を確定することは、
荷電状態信頼区間における下境界値と前記現在荷電状態との差分値を、前記現在荷電状態の誤差範囲の下境界値とすること、
荷電状態信頼区間における上境界値と前記現在荷電状態との差分値を、前記現在荷電状態の誤差範囲の上境界値とすること、
前記誤差範囲等分パラメータを用いて、前記現在荷電状態の誤差範囲の下境界値と前記現在荷電状態の誤差範囲の上境界値とによって確定される現在荷電状態の誤差範囲を等分し、前記修正毎の荷電状態修正変化量を取得すること、
を含む、請求項３に記載の荷電状態の修正方法。
【請求項８】
前記現在開路電圧測定値が前記ヒステリシス電圧区間外の非ヒステリシス電圧区間内にある場合、前記充電荷電状態値又は前記放電荷電状態値に基づいて、前記荷電状態修正目標値を確定し、前記現在荷電状態を修正すること、
を更に含む、請求項１に記載の荷電状態の修正方法。
【請求項９】
前記現在荷電状態が前記荷電状態の下境界値より大きく且つ前記荷電状態の上境界値より小さい場合、前記荷電状態修正目標値を前記現在荷電状態として確定すること、
を更に含む、請求項２に記載の荷電状態の修正方法。
【請求項１０】
電池の荷電状態修正装置であって、
電池の現在開路電圧測定値を確定し、前記現在開路電圧測定値がヒステリシス電圧区間内にあるか否かを確定し、前記ヒステリシス電圧区間内の開路電圧測定値は、前記電池の充電状態時の荷電状態値と放電状態時の荷電状態値とが等しい時に、前記充電状態時の荷電状態値に対応する開路電圧値が、前記放電状態時の荷電状態値に対応する開路電圧値と異なることを満たす電圧測定値判定モジュールと、
前記現在開路電圧測定値が前記ヒステリシス電圧区間内にある場合、充電状態時の前記現在開路電圧測定値に対応する充電荷電状態値と、放電状態時の前記現在開路電圧測定値に対応する放電荷電状態値とを確定する荷電状態確定モジュールと、
前記充電荷電状態値及び前記放電荷電状態値で形成される荷電状態信頼区間に基づいて、荷電状態修正目標値を確定し、前記電池の現在荷電状態を修正する荷電状態修正モジュールと、
を含む、電池の荷電状態修正装置。
【請求項１１】
電池の荷電状態修正システムであって、
実行可能なプログラムコードを記憶するのに用いられるメモリと、
前記メモリに記憶された実行可能なプログラムコードを読み取って、請求項１乃至９のいずれか１項に記載の電池の荷電状態の修正方法を実行するのに用いられるプロセッサと、
を含む、電池の荷電状態修正システム。
【請求項１２】
コンピュータ読み取り可能な記憶媒体であって、
コンピュータで実行される場合、請求項１乃至９のいずれか１項に記載の電池の荷電状態の修正方法をコンピュータに実行させる指令
を含むコンピュータ読み取り可能な記憶媒体。
【発明の詳細な説明】
【技術分野】
【０００１】
本願は、２０１９年６月２４日に提出された、発明名称が「電池の荷電状態の修正方法、装置、システム及び記憶媒体」である中国特許出願２０１９１０５４７６８７．３の優先権を主張し、この出願の全ての内容が本明細書に援用される。
【０００２】
本願は、電池の技術分野に関し、特に、電池の荷電状態の修正方法、装置、システム及び記憶媒体に関する。
【背景技術】
【０００３】
電気自動車の電池管理システムにおいて、電池の荷電状態（Ｓｔａｔｅ  ｏｆ  Ｃｈａｒｇｅ、ＳＯＣと略称する）は、電池の残量状態を反映するためのものであり、ＳＯＣは、バランス制御技術、急速充放電管理、安全運転等における電池性能の重要なパラメータでもある。そのため、正確なＳＯＣ推定は、電池管理システムの電池残量の指し示し、残りの走行距離、過充電過放電の保護、電池バランス、充電制御、及び電池の健康状態の予測等を実現する時に重要な役割を果す。
【０００４】
現在、常用のＳＯＣ修正方法は、例えば開路電圧法であって、開路電圧（Ｏｐｅｎ−Ｃｉｒｃｕｉｔ  Ｖｏｌｔａｇｅ、ＯＣＶ）とＳＯＣとの対応関係を利用することによって安定状態の電池ＳＯＣを取得できる。しかしながら、ヒステリシス特性を有するセル系において、ＯＣＶとＳＯＣとの対応関係を表すＯＣＶ曲線が履歴動作状態に影響され、ＯＣＶ曲線の変化によって開路電圧法の誤差が比較的大きくなって、ＳＯＣ修正の正確性が低下される。
【発明の概要】
【課題を解決するための手段】
【０００５】
本発明は、ヒステリシス特性を有する電池の荷電状態を修正し、電池の荷電状態値を推定する正確性を向上できる電池の荷電状態の修正方法、装置、システム、及びプログラムを提供する。
【０００６】
本願の実施例の一態様によれば、荷電状態の修正方法であって、
電池の現在開路電圧測定値を確定し、現在開路電圧測定値がヒステリシス電圧区間内にあるか否かを確定し、ヒステリシス電圧区間内の開路電圧測定値は、電池の充電状態時の荷電状態値と放電状態時の荷電状態値とが等しい時に、充電状態時の荷電状態値に対応する開路電圧値が、放電状態時の荷電状態値に対応する開路電圧値と異なることを満たすことと、
現在開路電圧測定値がヒステリシス電圧区間内にある場合、充電状態時の前記現在開路電圧測定値に対応する充電荷電状態値と、放電状態時の現在開路電圧測定値に対応する放電荷電状態値とを確定すること、
充電荷電状態値及び放電荷電状態値で形成される荷電状態信頼区間に基づいて、荷電状態修正目標値を確定し、電池の現在荷電状態を修正することと、
を含む荷電状態の修正方法を提供する。
【０００７】
本願の実施例の他の態様によれば、荷電状態修正装置であって、
電池の現在開路電圧測定値を確定し、現在開路電圧測定値がヒステリシス電圧区間内にあるか否かを確定し、ヒステリシス電圧区間内の開路電圧測定値は、電池の充電状態時の荷電状態値と放電状態時の荷電状態値とが等しい時に、充電状態時の荷電状態値に対応する開路電圧値が、放電状態時の荷電状態値に対応する開路電圧値と異なることを満たす電圧測定値判定モジュールと、
現在開路電圧測定値がヒステリシス電圧区間内にある場合、充電状態時の現在開路電圧測定値に対応する充電荷電状態値と、放電状態時の現在開路電圧測定値に対応する放電荷電状態値とを確定する荷電状態確定モジュールと、
充電荷電状態値及び放電荷電状態値で形成される荷電状態信頼区間に基づいて、荷電状態修正目標値を確定し、電池の現在荷電状態を修正する荷電状態修正モジュールと、
を含む荷電状態修正装置を提供する。
本願の実施例の更に別の態様によれば、荷電状態修正システムであって、
実行可能なプログラムコードを記憶するのに用いられるメモリと、
メモリに記憶された実行可能なプログラムコードを読み取って、上記の荷電状態の修正方法を実行するのに用いられるプロセッサと、
を含む荷電状態修正システムを提供する。
【０００８】
本願の実施例のまた別の態様によれば、コンピュータ読み取り可能な記憶媒体であって、コンピュータで実行される場合、上記の各様態の荷電状態の修正方法をコンピュータに実行させる指令を含むコンピュータ読み取り可能な記憶媒体を提供する。
【発明の効果】
【０００９】
本願の実施例における電池の荷電状態の修正方法、装置、システム及び記憶媒体によれば、電池の荷電状態に対するヒステリシス特性の影響を考慮して、電池の開路電圧測定値がヒステリシス電圧区間内にある場合、充電状態時の現在開路電圧測定値に対応する充電荷電状態値と、放電状態時の現在開路電圧測定値に対応する放電荷電状態値とを用いて、荷電状態修正目標値を確定して、現在荷電状態を修正でき、開路電圧値をそのまま利用して荷電状態を推定することと比べると、より正確な電池の荷電状態を取得できる。
【図面の簡単な説明】
【００１０】
以下、本願の実施例の技術案をより明確に説明するために、本願の実施例で必要な図面を簡単に説明するが、クリエイティブな労力がない状況下で、このような図面に基づいて他の図面を取得できることは、当業者にとって自明である。
【図１】図１は、電池のＯＣＶヒステリシス特性を示すグラフである。
【図２】図２は、本願の一実施例に係る電池の荷電状態の修正方法を示すフローチャートである。
【図３】図３は、本願の一実施例に係るプライザッハ（Ｐｒｅｉｓａｃｈ）モデルを示すメッシュ三角形の模式図である。
【図４】図４は、本願の一実施例に係るプライザッハ（Ｐｒｅｉｓａｃｈ）モデルの訓練を示すフローチャートである。
【図５】図５は、本願の他の実施例に係るプライザッハ（Ｐｒｅｉｓａｃｈ）モデルの訓練を示すフローチャートである。
【図６】図６は、本願の一実施例に係る電池の荷電状態修正装置の構成図である。
【図７】図７は、本願の一実施例に係る荷電状態の修正方法及び装置に基づく演算デバイスを実現可能な例示的なハードウェアアーキテクチャを示す構成図である。
【発明を実施するための形態】
【００１１】
以下、本願の各態様の特徴及び例示的な実施例を詳細に説明する。以下、本願の目的、技術案及び利点をより明確に理解させるために、図面及び実施例と組み合わせて、本願をさらに詳細に説明する。なお、ここに記載の具体的な実施例は本願を解釈するためのみであって、本願を限定するものではないことは、理解すべきである。本願がこれらの具体的な詳細の一部を要せずに実施できることは、当業者にとって自明である。下記に記載の実施例は、本願を例示することによって本願をより良く理解させるためのみである。
【００１２】
なお、本文において、第１及び第２のような関係用語は、一のエンティティ又は動作と他のエンティティ又は動作とを区別することにのみ用いられ、これらのエンティティ又は動作の間にこのような実際的な関係又は順序が存在するとは限られない。また、「有する」、「備える」、「含む」、又はその他の変形のような用語は、非排他的な包含を意図し、一連の要素を含むプロセス、方法、物品、又はデバイスがそれらの要素だけでなく、明示的に列挙されていない他の要素を含んでもよく、或いは、このようなプロセス、方法、物品又はデバイスにおける固有の要素を含んでもよい。より多くの制限がない限り、「…を有する」、「…を備える」、「…を含む」のような語句で限定される要素は、上記要素を含むプロセス、方法、物品又はデバイスがさらに他の同一な要素を有することを排除するものではない。
【００１３】
本願の実施例における電池は、正極及び負極がいずれも脱離可能であり、且つ、キャリア粒子を受け入れることが可能である電池であってもよく、ここでは限定されない。この電池は、電池の種類から、リン酸鉄リチウム系電池又はケイ素添加系電池であるがこれらに限定されず、リン酸鉄リチウム系電池は、リン酸鉄リチウム含有正極活物質のリチウムイオン電池であり、ケイ素添加系電池は、ケイ素含有負極活物質のリチウムイオン電池である。この電池は、電池のスケールから、セル単体であってもよいし、電池モジュール又は電池パックであってもよく、本願の実施例では特に限定されない。
【００１４】
本願の実施例において、電池の充電特性と放電特性とが異なるため、ヒステリシス特性とは、電池が同じ電流でそれぞれ充電及び放電が終了した後、同じ荷電状態に対応する充電後の開路電圧と放電後の開路電圧とが異なる現象である。この現象は、電池のヒステリシス特性と呼ばれている。このため、ヒステリシス特性によって、電池のＯＣＶ曲線が履歴動作状態の影響を受ける特性を説明でき、開路電圧を用いて電池の荷電状態を推定する場合、電池の荷電状態に対するヒステリシス特性の影響を考慮する必要がある。
【００１５】
一実施例において、ＯＣＶ曲線は、電池のＯＣＶとＳＯＣとの対応関係を説明するのに用いられる。ＯＣＶ曲線は、充電ＯＣＶ曲線と放電ＯＣＶ曲線とを含んでもよい。充電ＯＣＶ曲線は、充電状態下の電池のＯＣＶとＳＯＣとの対応関係を説明するのに用いられ、放電ＯＣＶ曲線は、放電状態下の電池のＯＣＶとＳＯＣとの対応関係を説明するのに用いられてもよい。
【００１６】
常用のＳＯＣ推定方法、例えば開路電圧法において、電池のＯＣＶ曲線は、履歴動作状態の影響を受けず、即ち、電池のＯＣＶが現在の温度及びＳＯＣのみに関連し、電池が安定状態に静置された後にＳＯＣを取得できる。しかしながら、ヒステリシス特性を有する電池において、ＯＣＶ曲線の変化によって開路電圧法の誤差が大きくなり、開路電圧法の適用性が低下される。
【００１７】
本願の実施例において、修正された現在荷電状態値として、荷電状態の演算装置によって予め設定された荷電状態の演算方法を用いて演算して取得できる。従って、本願の実施例は、荷電状態の演算方法を限定するものではない。
【００１８】
以下、本願をより分かりやすく説明するために、本願の実施例に係る電池の荷電状態の修正方法について、図面を参照して詳細に説明するが、これらの実施例は本願の開示された範囲を限定するものではないことに留意すべきである。
【００１９】
本願の実施例は、ヒステリシス特性を有する電池の荷電状態値を修正し、電池の荷電状態値を推定する正確性を向上させることができる電池の荷電状態の修正方法、装置、デバイス及びコンピュータ読み取り可能な記憶媒体を提供する。
【００２０】
図１は、電池のＯＣＶヒステリシス特性を示すグラフである。図１に示すように、充電ＯＣＶ曲線と放電ＯＣＶ曲線の差異により、電池のＯＣＶ区間をヒステリシス電圧区間と非ヒステリシス電圧区間に区分することができる。ここで、ヒステリシス電圧区間において、充電ＯＣＶ曲線と放電ＯＣＶ曲線とが重ならず、非ヒステリシス電圧区間において、充電ＯＣＶ曲線と放電ＯＣＶ曲線とが重なっている。そこで、以下の実施例の説明では、非ヒステリシス電圧区間の充電ＯＣＶ曲線と放電ＯＣＶ曲線とが重なる曲線を、非ヒステリシスのＯＣＶ−ＳＯＣ曲線と呼ぶ。
【００２１】
即ち、非ヒステリシスのＯＣＶ−ＳＯＣ曲線は、充電状態で非ヒステリシス電圧区間における電池のＯＣＶとＳＯＣとの対応関係を示し、放電状態で非ヒステリシス電圧区間における電池のＯＣＶとＳＯＣとの対応関係を示す。
【００２２】
図２は、本願の一実施例に係る電池の荷電状態の修正方法を示すフローチャートである。図２に示すように、一実施例において、荷電状態の修正方法１００は、以下のステップを含み取得する。
【００２３】
ステップＳ１１０において、電池の現在開路電圧測定値を確定し、現在開路電圧測定値がヒステリシス電圧区間にあるか否かを確定し、ヒステリシス電圧区間内の開路電圧測定値は、以下を満たす。
【００２４】
電池の充電状態時の荷電状態値と放電状態時の荷電状態値とが等しい時に、充電状態時の荷電状態値に対応する開路電圧値は、放電状態時の荷電状態値に対応する開路電圧値と異なる。
【００２５】
一実施例において、非ヒステリシス電圧区間の開路電圧値は、以下の要件を満たす。電池の充電状態時の荷電状態値と放電状態時の荷電状態値とが等しい場合、充電状態時の荷電状態値に対応する開路電圧値は、放電状態時の荷電状態値に対応する開路電圧値と等しい。
【００２６】
ステップＳ１２０において、現在開路電圧測定値がヒステリシス電圧区間内にある場合、充電状態時の現在開路電圧測定値に対応する充電荷電状態値、及び放電状態時の現在開路電圧測定値に対応する放電荷電状態値を確定する。
【００２７】
ステップＳ１３０において、充電荷電状態値及び放電荷電状態値で形成される荷電状態信頼区間に基づいて、荷電状態修正目標値を確定し、電池の現在荷電状態を修正する。
【００２８】
本願の一実施例の電池の荷電状態の修正方法によれば、電池の開路電圧測定値がヒステリシス電圧区間内にある場合、充電状態時の現在開路電圧測定値に対応する充電荷電状態値、及び放電状態時の現在開路電圧測定値に対応する放電荷電状態値を用いて、荷電状態修正目標値を確定して、現在荷電状態を修正でき、比較的正確な電池の荷電状態を取得できる。
【００２９】
一実施例において、ステップＳ１１０における電池の現在開路電圧測定値を確定するステップは、
電池の静置時間と静置時の温度分布に基づいて、電池が十分な静置条件を満たすか否かを判断し、電池が十分な静置条件を満たす場合、電池の現在電圧値を電池の現在開路電圧測定値として記録することを含むことができる。
【００３０】
一例として、電池を十分な静置条件に達させるために、静置最低温度が２５℃である場合、静置時間の下限値は例えば１時間であり、即ち静置時間が１時間以上であり、静置最低温度が０℃である場合、静置時間の下限値は例えば２時間であり、静置最低温度が−２０℃である場合、静置時間の下限値は例えば３時間であってもよい。
【００３１】
本明細書の実施例において、オフラインキャリブレーションの実験値及び／又は実動作状態における経験値により、電池の静置時間及び静置時の温度分布を確定できる。なお、電池間にセル系等の差異があり、異なる電池の十分な静置条件が異なるが、これらの実施例は、示されている範囲を制限するものではない。
【００３２】
一実施例において、電池の開路電圧の電圧範囲をヒステリシス電圧区間と非ヒステリシス電圧区間とに区分でき、実験測定により電池のヒステリシス電圧区間及び非ヒステリシス電圧区間を確定でき、ヒステリシス電圧区間内の電圧値と非ヒステリシス電圧区間内の電圧値とを調査することにより、現在開路電圧測定値がヒステリシス電圧区間又は非ヒステリシス電圧区間内にあるか否かを確定できる。
【００３３】
一実施例において、現在開路電圧測定値がヒステリシス電圧区間外の非ヒステリシス電圧区間内にある場合、充電状態時の現在開路電圧測定値に対応する充電荷電状態値又は放電状態時の現在開路電圧測定値に対応する放電荷電状態値に基づいて荷電状態修正目標値を確定し、現在荷電状態を修正する。
【００３４】
即ち、非ヒステリシス電圧区間内の現在開路電圧測定値は、充電ＯＣＶ曲線と放電ＯＣＶ曲線とが重なるため、充電ＯＣＶ曲線に記述された充電状態時の開路電圧と荷電状態との対応関係に基づいて、充電状態時の現在開路電圧測定値に対応する充電荷電状態値を、荷電状態修正目標値として確定してもよいし、放電ＯＣＶ曲線に記述された放電状態時の開路電圧と荷電状態との対応関係に基づいて、放電状態時の現在開路電圧測定値に対応する放電荷電状態値を、荷電状態修正目標値として確定してもよい。
【００３５】
当該実施例において、現在開路電圧測定値が非ヒステリシス電圧区間内にある場合、非ヒステリシスのＯＣＶ−ＳＯＣ曲線と現在開路電圧測定値とに基づいて荷電状態修正目標値、例えばＳＯＣ０を確定し、現在荷電状態をＳＯＣ０に修正する。
【００３６】
一実施例において、現在荷電状態値が荷電状態信頼区間の下境界値未満である場合、荷電状態修正目標値は下境界値であり、現在荷電状態値が荷電状態信頼区間の上境界値より大きい場合、荷電状態修正目標値は上境界値である。
【００３７】
ここで、下境界値は、充電荷電状態値及び放電荷電状態値のうちの最小値であり、上境界値は、充電荷電状態値及び放電荷電状態値のうちの最大値である。
【００３８】
当該実施例において、充電ＯＣＶ曲線における現在開路電圧測定値に対応する荷電状態値である例えばＳＯＣ１、及び放電ＯＣＶ曲線における現在開路電圧測定値に対応する荷電状態値である例えばＳＯＣ２は、現在ＳＯＣの信頼区間範囲を形成する。ＳＯＣ１がＳＯＣ２より小さい場合、現在ＳＯＣの信頼区間範囲は［ＳＯＣ１，ＳＯＣ２］で表される。現在荷電状態値がＳＯＣ１未満である場合、現在荷電状態をＳＯＣ１に修正し、現在荷電状態値がＳＯＣ２より大きい場合、現在荷電状態をＳＯＣ２に修正する。即ち、現在荷電状態がＳＯＣの信頼区間範囲を超える場合、現在荷電状態を接近の信頼範囲の境界値に修正する。
【００３９】
一実施例において、現在荷電状態が荷電状態の下境界値より大きく、且つ、荷電状態の上境界値より小さい場合、荷電状態修正目標値が現在荷電状態であると確定される。
【００４０】
当該実施例において、現在ＳＯＣがＳＯＣ信頼区間範囲を超えていない場合、荷電状態修正目標値は現在荷電状態であり、即ち、現在ＳＯＣを修正する必要がない。
【００４１】
本願の実施例の荷電状態の修正方法によれば、現在測定の開路電圧に基づいて、現在非ヒステリシス電圧区間内又はヒステリシス電圧区間内にあるか否かを判断できるため、ヒステリシスＯＣＶ区間及び非ヒステリシスＯＣＶ区間のそれぞれについて異なる開路電圧修正ＳＯＣ技術案を提出して、電池の荷電状態の修正精度を効果的に向上させることができる。
【００４２】
以下、図面を参照して、本願の実施例における開路電圧推定モデルに基づいて荷電状態を修正する具体的なフローを説明する。一実施例において、現在荷電状態、例えばＳＯＣｒをリアルタイムで算出し、予め記録されている現在荷電状態から直近のＮ次電流方向が変化した時の荷電状態を取得してもよい。この直近のＮ次電流方向が変化した時の荷電状態を履歴荷電状態値とすると、履歴荷電状態［ＳＯＣ１，ＳＯＣ２，・・・，ＳＯＣＮ］と現在荷電状態ＳＯＣｒとが共通に構成するＳＯＣ変化経路リストは、例えば、［ＳＯＣ１，ＳＯＣ２，．．．，ＳＯＣＮ，ＳＯＣｒ］と表すことができる。
【００４３】
本実施例において、記録されたＳＯＣ変化経路リストを入力とし、既にパラメータがキャリブレーションされた開路電圧推定モデルにより、現在開路電圧推定値を出力する。以下、理解し易くするために、開路電圧推定モデルで使用されるヒステリシスモデル組立体プライザッハ（Ｐｒｅｉｓａｃｈ）モデルを例に、図面を参照して、開路電圧推定モデルで荷電状態変化経路を処理して、現在開路電圧推定値を取得する具体的な過程を説明する。
【００４４】
図３は、本願の実施例に係るプライザッハモデルのメッシュ三角形の模式図を示し、図４は、本願の一実施例に係るプライザッハモデルの訓練のフローチャートを示し、図５は、本願の他の実施例に係るプライザッハモデルの訓練のフローのフローチャートを示す。
【００４５】
図３に示すように、ＳＯＣα（Ｘ軸）及びＳＯＣβ（Ｙ軸）は、プライザッハ三角（左上隅の太実線で構成される直角二等辺三角形部分）を構成し、プライザッハ三角形を離散化処理し、例えば、Ｘ軸方向及びＹ軸方向に沿って三角形を分けて、複数の矩形メッシュ、例えばＬ×Ｌの正方メッシュからなるメッシュ三角形を形成する。
【００４６】
一実施例において、プライザッハモデルは、ヒステリシス演算子γαβ（ｉ）で重畳して構成されている。全てのプライザッハ演算子（α，β）は二次元平面における一つの直角三角形を構成し、ヒステリシス特性の履歴情報は当該三角形における記憶曲線により表すことができ，記憶曲線は階段状曲線である（図中の破線部分）。
【００４７】
記録開始時ＳＯＣの初期値がＳＯＣ０であると想定すると、プライザッハ三角の斜辺でＳＯＣ０を起点とし、即ち（ＳＯＣ０，ＳＯＣ０）座標点を始点とする。荷電状態変化経路における毎回の電流方向の変化と電流方向が変化する毎に対応する荷電状態変化量とに基づいて、電池が充電されていると判断された場合、充電された荷電状態の変化量に応じて、階段状の曲線が三角形内で水平に上昇するセグメントとして反映され、電池が放電していると判断される場合、放出された荷電状態の変化量に応じて、階段状の曲線が三角形内で垂直に左へに移動するセグメントとして反映される。上記の電池の履歴充放電過程によりヒステリシス演算子境界を確定する。
【００４８】
電池の充電が開始され且つｄＳＯＣ０が充電されると、ＳＯＣ０点を経過してＸ軸に平行な線を作り、この線を上方へｄＳＯ０の距離を平行に移動して、ヒステリシス演算子境界を取得する。放電が開始され且つｄＳＯＣ０が放出されると、ＳＯＣ０点を経過してＹ軸に平行な線を作り、この線を左へｄＳＯＣ０の距離を平行に移動して、ヒステリシス演算子境界を取得する。
【００４９】
図４に示すように、ヒステリシス演算子境界とプライザッハ三角の斜辺とが交わる点（ＳＯＣ１，ＳＯＣ１）を始点とし、充電を継続してｄＳＯＣ１を充電すると、ＳＯＣ１点を経過してＸ軸に平行な線を作り、この線を上方へｄＳＯ１の距離を平行に移行して、この線と元のヒステリシス演算子境界とが再構成する折れ線、即ちヒステリシス演算子境界を取得する。
【００５０】
図５に示すように、放電を継続してｄＳＯＣ１を放出すると、ＳＯＣ１点を経過してＹ軸に平行な線を作り、この線を左へｄＳＯ１の距離を平行に移行して、この線と元のヒステリシス演算子境界とが再構成する折れ線、即ちヒステリシス演算子境界を取得する。
【００５１】
このように類推すると、充電又は放電毎にヒステリシス演算子境界が更新される。ヒステリシス演算子境界を確定すると、プライザッハ三角におけるヒステリシス演算子境界の右上隅部分のメッシュに対応するヒステリシス演算子γαβ（ｉ）を−１と表記し、残りのメッシュのヒステリシス演算子γαβ（ｉ）を＋１と表記する。
【００５２】
本願の実施例において、プライザッハモデルのヒステリシス演算子境界を確定する過程は、ヒステリシス演算子を更新する過程である。プライザッハモデルのヒステリシス演算子は、荷電状態変化経路における毎回の電流方向の変化と、電流方向が変化する毎に対応する荷電状態変化量とに基づいて更新される。
【００５３】
プライザッハモデルは、更新のプライザッハモデルのヒステリシス演算子によって、次の式（１）のように表すことができる。
【００５４】
【数１】
2021532336.tif 000003
【００５５】
上記式（１）において、ωＯＣＶ（ｔ）はプライザッハモデルの出力、即ち開路電圧重み係数、Ｎはプライザッハ三角メッシュの個数、μαβ（ｉ）はｉ番目のメッシュに対応するヒステリシス演算子、γαβ（ｉ）はヒステリシス演算子μαβ（ｉ）に対応する重み係数を示す。本願の実施例におけるヒステリシス演算子の重み係数は、確定の充放電フローにより予めキャリブレーションすることができる。
【００５６】
開路電圧重み係数ωＯＣＶ（ｔ）を確定する場合、下記の式（２）により、現在開路電圧推定値を算出することができる。
【００５７】
【数２】
2021532336.tif 000004
【００５８】
上記式（２）において、ＯＣＶ１（ｔ）は現在荷電状態と充電ＯＣＶ曲線に基づいて確定される開路電圧値を示し、ＯＣＶ２（ｔ）は現在荷電状態と放電ＯＣＶ曲線に基づいて確定される開路電圧値を示し、開路電圧重み係数ωＯＣＶ（ｔ）でＯＣＶ１（ｔ）とＯＣＶ２（ｔ）を重み付け融合して現在開路電圧推定値を取得する。
【００５９】
一実施例において、上記ステップＳ１３０は、具体的に以下を含むことができる。
【００６０】
ステップＳ１３１において、現在荷電状態値及び履歴荷電状態値で形成される荷電状態変化経路を確定し、開路電圧推定モデル組立体に基づいて荷電状態変化経路を処理して、現在開路電圧推定値を取得する。
【００６１】
一実施例において、履歴荷電状態値は、予め順に記録された電池のＮ回の電流方向の変化時の対応するＮ個の荷電状態値を含み、Ｎ個目の荷電状態値は、現在荷電状態の前回の電流方向の変化時の荷電状態値であり、Ｎは１以上である。
【００６２】
一実施例において、荷電状態変化経路は、記録タイミングの前後で取得された履歴荷電状態値中の各荷電状態値及び現在荷電状態値を含む。
【００６３】
ステップＳ１３２において、現在開路電圧推定値及び現在開路電圧測定値で形成される電圧差分値の絶対値が電圧差分値の閾値以上である場合、荷電状態信頼区間及び予め設定された誤差範囲等分パラメータに基づいて、修正毎の荷電状態修正変化量を確定する。
【００６４】
一実施例において、現在開路電圧推定値及び現在開路電圧測定値で形成される電圧差分値の絶対値が電圧差分値の閾値未満である場合、現在荷電状態値を修正しない。即ち、荷電状態修正目標値が現在荷電状態であると理解できる。
【００６５】
当該ステップにおいて、荷電状態信頼区間における下境界値と現在荷電状態との差分を、現在荷電状態の誤差範囲の下境界値とし、荷電状態信頼区間における上境界値と現在荷電状態との差分を、現在荷電状態の誤差範囲の上境界値とする。誤差範囲等分パラメータを用いて、現在荷電状態の誤差範囲の下境界値と現在荷電状態の誤差範囲の上境界値とで確定される現在荷電状態の誤差範囲を等分し、現在荷電状態の誤差範囲に対応する修正回数の上限値及び修正毎の荷電状態修正変化量を取得できる。
【００６６】
一例として、予め設定された誤差範囲等分パラメータはｋであり、ｋは１より大きい整数である。上記実施例の説明から分かるように、充電ＯＣＶ曲線における現在開路電圧測定値に対応する荷電状態値である例えばＳＯＣ１、及び放電ＯＣＶ曲線における現在開路電圧測定値に対応する荷電状態値である例えばＳＯＣ２で現在ＳＯＣの信頼区間範囲［ＳＯＣ１，ＳＯＣ２］を形成する場合、現在荷電状態ＳＯＣｒの誤差範囲は［ＳＯＣ１−ＳＯＣｒ，ＳＯＣ２−ＳＯＣｒ］と表すことができ、誤差範囲等分パラメータｋに基づいて、現在ＳＯＣ誤差範囲をｋ個に等分して、ｋ個の荷電状態誤差変化量からなる誤差リスト［ｄＳＯＣ［１］，ｄＳＯＣ［２］，ｄＳＯＣ［３］，…，ｄＳＯＣ［ｋ］］を取得でき、この誤差リストにおけるｄＳＯＣ［ｉ］は、ｉ回目に修正された荷電状態修正変化量を示し、ｉは１以上且つｋ以下の整数であり、修正回数の上限値は、得られた荷電状態修正変化量の総個数と等しくてもよい。
【００６７】
ステップＳ１３３において、荷電状態修正変化量及び電圧差分値の正負に基づいて、現在荷電状態値を一回修正して、現在荷電状態値の修正値を取得する。
【００６８】
当該ステップにおいて、現在開路電圧推定値及び現在開路電圧測定値で形成される電圧差分値の絶対値が電圧差分値の閾値以上である場合、下記式（３）を用いて荷電状態値の修正値を算出する。
【００６９】
【数３】
2021532336.tif 000005
【００７０】
上記式（３）において、ｉは１以上且つｋ以下の整数であり、ｄＳＯＣ［ｉ］はｉ回目の現在荷電状態値を修正する時の荷電状態修正変化量であり、ＳＯＣｒｅ［ｉ］はｉ回目の修正後に得られた荷電状態値の修正値である。開路電圧推定値ＯＣＶｅ及び現在開路電圧測定値ＯＣＶｍで形成される電圧差分値が正数である場合、ｓｉｇｎ（ＯＣＶｅ−ＯＣＶｍ）の値は１であり、現在荷電状態値の修正値は、現在荷電状態値と荷電状態修正変化量で形成される荷電状態との和である。開路電圧推定値ＯＣＶｅ及び現在開路電圧測定値ＯＣＶｍで形成される電圧差分値が負値である場合、ｓｉｇｎ（ＯＣＶｅ−ＯＣＶｍ）の値は−１であり、現在荷電状態値の修正値は、現在荷電状態値と荷電状態修正変化量で形成される荷電状態の差である。
【００７１】
ステップＳ１３４において、現在荷電状態値の修正値及び履歴荷電状態値で形成される新たな荷電状態変化経路を確定し、上記電圧差分値の絶対値が電圧差分値の閾値未満になると、現在荷電状態値の修正値を荷電状態修正目標値とする。
【００７２】
当該ステップにおいて、ｉ回目の修正後に得られたＳＯＣｒｅ［ｉ］と履歴のＮ回ＳＯＣ変化経路とで構成される新たな荷電状態変化経路［ＳＯＣ１，ＳＯＣ２，…，ＳＯＣＮ，ＳＯＣｒｅ［ｉ］］は、プライザッハ開路電圧推定モデルの入力として、現在開路電圧を新たに推定する。新たに推定された現在開路電圧推定値と現在開路電圧測定値との電圧差分の絶対値が電圧差分値の閾値未満である場合、現在荷電状態値の修正値を出力する。新たに推定された現在開路電圧推定値と現在開路電圧測定値との差分が電圧差分値の閾値以上である場合、現在荷電状態に対してｉ＋１回目の修正を行い、ｉ＝ｉ＋１として、上記ステップＳ１３２及びステップＳ１３３を繰り返し、現在荷電状態値の修正値を新たに算出する。
【００７３】
当該ステップにおいて、現在荷電状態を修正した回数が修正回数の上限値に達すると、現在荷電状態値の修正値を出力する。
【００７４】
当該実施例において、開路電圧推定モデル組立体で開路電圧を推定する方法により、現在開路電圧測定値と開路電圧推定モデル組立体で確定した現在開路電圧推定値との差分に基づいて荷電状態を修正する。
【００７５】
上記実施例で説明した内容から分かるように、一実施例において、上記ステップＳ１３１では、開路電圧推定モデル組立体で荷電状態変化経路を処理して、現在開路電圧推定値を取得するステップは、具体的には、以下を含み得る。
【００７６】
ステップＳ１３１１において、現在荷電状態値、及び充電状態時の電池の荷電状態と開路電圧との対応関係に基づいて、現在荷電状態値に対応する第１の開路電圧値を確定する。
【００７７】
ステップＳ１３１２において、現在荷電状態値、及び放電状態時の電池の荷電状態と開路電圧との対応関係に基づいて、現在荷電状態値に対応する第２の開路電圧値を確定する。
【００７８】
ステップＳ１３１３において、開路電圧推定モデル組立体で荷電状態変化経路を処理して開路電圧重み係数を確定し、開路電圧重み係数を用いて第１の開路電圧値と第２の開路電圧値とを重み付け融合して、現在開路電圧推定値を取得する。
【００７９】
一実施例において、ステップＳ１３１３では、開路電圧推定モデル組立体で荷電状態変化経路を処理して開路電圧重み係数を確定するステップは、具体的には以下を含み得る。
【００８０】
ステップＳ１３１３−０１において、荷電状態変化経路における荷電状態値の記録タイミングの前後に従って、毎回の電流方向の変化、及び毎回の電流方向の変化に対応する荷電状態変化量を順に確定する。
【００８１】
ステップＳ１３１３−０２において、初回の電流方向の変化、及び初回の電流方向の変化に対応する荷電状態変化量に基づいて、ヒステリシス演算子の初期値を確定する。
【００８２】
ステップＳ１３１３−０３において、初回以外の電流方向の変化、及び初回以外の電流方向の変化時の荷電状態変化量に基づいて、ヒステリシス演算子を更新する。
【００８３】
ステップＳ１３１３−０４において、予めキャリブレーションされたヒステリシス演算子の重み係数を用いて、更新後のヒステリシス演算子を重み付け融合し、開路電圧重み係数を取得する。
【００８４】
一実施例において、開路電圧推定モデルにおけるヒステリシス演算子は、履歴動作状態を反映し、例えば、履歴荷電状態の変化経路における電流方向の変化及び電流方向の変化に対応する荷電状態変化量を反映でき、開路電圧推定モデル組立体は、ヒステリシス特性を有する開路電圧と荷電状態との対応関係を反映できる。このため、開路電圧推定モデル組立体を利用して、現在荷電状態に対応する履歴荷電状態の変化経路を開路電圧推定モデル組立体の入力とし、開路電圧推定モデルを用いて開路電圧をリアルタイムで推定し、さらに、ＳＯＣを修正する方法により、ヒステリシス電圧区間内の開路電圧に対応する荷電状態の修正精度を向上させることができる。
【００８５】
以下、図面を参照して、本願の実施例に係る電池の荷電状態修正装置を詳細に説明する。図６は、本出願の一実施例に係る電池の荷電状態修正装置の構成図を示す。図６に示すように、電池の荷電状態修正装置６００は、電圧測定値判定モジュール６１０、荷電状態確定モジュール６２０及び荷電状態修正モジュール６３０を含む。
【００８６】
電圧測定値判定モジュール６１０は、電池の現在開路電圧測定値を確定し、現在開路電圧測定値がヒステリシス電圧区間内にあるか否かを確定し、ヒステリシス電圧区間内の開路電圧測定値は、以下を満たす。
【００８７】
電池の充電状態時の荷電状態値と放電状態時の荷電状態値とが等しい場合、充電状態時の荷電状態値に対応する開路電圧値は、放電状態時の荷電状態値に対応する開路電圧値と異なる。
【００８８】
荷電状態確定モジュール６２０は、現在開路電圧測定値がヒステリシス電圧区間内にある場合、充電状態時の現在開路電圧測定値に対応する充電荷電状態値と、放電状態時の現在開路電圧測定値に対応する放電荷電状態値とを確定する。
【００８９】
荷電状態修正モジュール６３０は、充電荷電状態値及び放電荷電状態値で形成される荷電状態信頼区間に基づいて、荷電状態修正目標値を確定し、電池の現在荷電状態を修正する。
【００９０】
一実施例において、荷電状態修正モジュール６３０は、さらに、現在開路電圧測定値がヒステリシス電圧区間外の非ヒステリシス電圧区間内にある場合、充電荷電状態値又は放電荷電状態値から荷電状態修正目標値を確定し、現在荷電状態を修正できる。
【００９１】
一実施例において、荷電状態修正モジュール６３０は、さらに、現在荷電状態が荷電状態の下境界値より大きく且つ荷電状態の上境界値より小さい場合、荷電状態修正目標値が現在荷電状態であると確定できる。
【００９２】
一実施例において、現在荷電状態値が荷電状態信頼区間の下境界値より小さい場合、荷電状態修正目標値は、荷電状態信頼区間の下境界値である。現在荷電状態値が荷電状態信頼区間の上境界値より大きい場合、荷電状態修正目標値は、荷電状態信頼区間の上境界値である。ここで、下境界値は、充電荷電状態値及び放電荷電状態値のうちの比較的小さい値であり、上境界値は、充電荷電状態値及び放電荷電状態値のうちの比較的大きい値である。
【００９３】
一実施例において、荷電状態修正モジュール６３０は、開路電圧推定値確定手段、荷電状態修正変化量確定手段、荷電状態修正値確定手段及び荷電状態修正目標値確定手段を含み得る。
【００９４】
開路電圧推定値確定手段は、現在荷電状態値及び予め記録された履歴荷電状態値で形成される荷電状態変化経路を確定し、開路電圧推定モデル組立体に基づいて荷電状態変化経路を処理して、現在開路電圧推定値を取得する。
【００９５】
荷電状態修正変化量確定手段は、現在開路電圧推定値及び現在開路電圧測定値で形成される電圧差分の絶対値が電圧差分値の閾値以上である場合、荷電状態信頼区間及び予め設定された誤差範囲等分パラメータに基づいて、荷電状態修正変化量を確定する。
【００９６】
荷電状態修正値確定手段は、荷電状態修正変化量及び電圧差分値の正負に基づいて、現在荷電状態値を一回修正して、現在荷電状態値の修正値を取得する。
【００９７】
荷電状態修正目標値確定手段は、現在荷電状態値の修正値及び履歴荷電状態値で形成される新たな荷電状態変化経路を確定し、電圧差分値の絶対値が電圧差分値の閾値未満になると、現在荷電状態値の修正値を荷電状態修正目標値とする。
【００９８】
一実施例において、開路電圧推定値確定手段は、具体的に、
現在荷電状態値、及び充電状態時の電池の荷電状態と開路電圧との対応関係に基づいて、現在荷電状態値に対応する第１の開路電圧値を確定すること、
現在荷電状態値、及び放電状態時の電池の荷電状態と開路電圧との対応関係に基づいて、現在荷電状態値に対応する第２の開路電圧値を確定すること、
開路電圧推定モデル組立体に基づいて荷電状態変化経路を処理して、開路電圧重み係数を確定し、開路電圧重み係数を用いて、第１の開路電圧値及び第２の開路電圧値を重み付け融合して、現在開路電圧推定値を取得すること、に用いられる。
【００９９】
一実施例において、履歴荷電状態値は、予め順に記録された電池のＮ回の電流方向の変化時の対応するＮ個の荷電状態値を含み、Ｎ個目の荷電状態値は、現在荷電状態の前回の電流方向の変化時の荷電状態値であり、Ｎは１以上である。荷電状態変化経路は、記録タイミングの前後で取得された履歴荷電状態値中の各荷電状態値及び現在荷電状態値を含む。
【０１００】
一実施例において、開路電圧推定値確定手段が、開路電圧推定モデル組立体に基づいて荷電状態変化経路を処理して、開路電圧重み係数を確定する時に、具体的に、
荷電状態変化経路における荷電状態値の記録タイミングの前後に従って、毎回の電流方向の変化、及び毎回の電流方向の変化に対応する荷電状態変化量を順に確定すること、
初回の電流方向の変化、及び初回の電流方向の変化に対応する荷電状態変化量に基づいて、ヒステリシス演算子の初期値を確定すること、
初回以外の電流方向の変化、及び初回以外の電流方向の変化時の荷電状態変化量に基づいて、ヒステリシス演算子を更新すること、
予めキャリブレーションされたヒステリシス演算子の重み係数を用いて、更新後のヒステリシス演算子に重み付け融合を行い、開路電圧重み係数を取得すること、に用いられる。
【０１０１】
一実施例において、荷電状態修正変化量確定手段が、荷電状態信頼区間及び予め設定された誤差範囲等分パラメータに基づいて、荷電状態修正変化量を確定する時に、具体的に、
荷電状態信頼区間における下境界値と現在荷電状態との差分値を、現在荷電状態の誤差範囲の下境界値とすること、
荷電状態信頼区間における上境界値と現在荷電状態との差分値を、現在荷電状態の誤差範囲の上境界値とすること、
誤差範囲等分パラメータを用いて、現在荷電状態の誤差範囲の下境界値と現在荷電状態の誤差範囲の上境界値とで確定される現在荷電状態の誤差範囲を等分して、荷電状態修正変化量を取得すること、に用いられる。
【０１０２】
本願の実施例に係る荷電状態修正装置によれば、ヒステリシス特性を有するセル系について、ヒステリシス電圧区間の履歴動作状態の影響に応じて電池の荷電状態を修正し、電池の荷電状態値を推定する正解性を向上させる。
【０１０３】
なお、本願は上記実施例で説明した特定の構成及び処理に限定されるものではない。説明の便宜上、既知の方法に対する詳細な説明を省略し、上述したシステム、モジュール、及び手段の具体的な動作手順については、上記した方法の実施例における対応のプロセスを参照することが可能であるため、ここでは説明を省略する。
【０１０４】
図７は、本願の実施例に係る電池の荷電状態の修正方法及び装置に基づく演算デバイスを実現可能な例示的なハードウェアアーキテクチャの構成図を示す。
【０１０５】
図７に示すように、演算デバイス７００は、入力デバイス７０１と、入力インタフェース７０２と、中央処理装置７０３と、メモリ７０４と、出力インタフェース７０５と、出力デバイス７０６とを備える。ここで、入力インタフェース７０２、中央処理装置７０３、メモリ７０４、及び出力インタフェース７０５は、バス７１０を介して互に接続され、入力デバイス７０１及び出力デバイス７０６は、それぞれ入力インタフェース７０２及び出力インタフェース７０５を介してバス７１０に接続されて、演算デバイス７００の他の部材に接続されている。具体的に、入力デバイス７０１は、外部からの入力情報を受信し、入力インタフェース７０２を介して入力情報を中央処理装置７０３に送信し、中央処理装置７０３は、メモリ７０４に記憶されたコンピュータ実行可能指令に基づいて入力情報を処理して出力情報を生成し、出力情報をメモリ７０４に一時的又は永久的に格納した後、出力インタフェース７０５を介して出力情
報を出力デバイス７０６に出力し、出力デバイス７０６は、出力情報を演算デバイス７００の外部に出力して、ユーザが使用できるようにする。
【０１０６】
一実施例において、図７に示す演算デバイス７００は、電池の荷電状態修正システムとして実現することが可能であり、当該電池の荷電状態修正システムは、プログラムを記憶するメモリと、上記実施例に記載の電池の荷電状態の修正方法を実行するように、メモリに記憶されたプログラムを実行するプロセッサと、を含み得る。
【０１０７】
本願の実施例によれば、上記のフローチャートを参照して説明した過程は、コンピュータソフトウェアプログラムとして実現できる。例えば、本願の実施例は、コンピュータプログラム製品を含み、それは、機械読取可能な媒体における有形に含まれるコンピュータプログラムを含み、上記プログラムは、フローチャートに示される方法を実行するためのプログラムコードを含む。このような実施例において、当該コンピュータプログラムは、ネットワークからダウンロードされてインストールされてもよいし、及び／又は、着脱可能な記憶媒体からインストールされてもよい。
【０１０８】
上記実施例において、全部又は一部はソフトウェア、ハードウェア、ファームウェア、又はそれらの任意な組み合わせによって実現されてもよい。ソフトウェアを用いて実現される場合、その全部又は一部がコンピュータプログラム製品として実現されてもよい。上記コンピュータプログラム製品は、コンピュータで動作している際に、上記各実施例に記載の方法をコンピュータに実行させるための一又は複数のコンピュータ指令を含む。上記コンピュータプログラム指令がコンピュータにロードされ且つ実行されると、本願の実施例に記載のフローや機能を全部又は一部生成する。上記コンピュータは、汎用コンピュータ、専用コンピュータ、コンピュータネットワーク、又は他のプログラマブル装置であってもよい。上記コンピュータ指令は、コンピュータ読み取り可能な記憶媒体に記憶されていてもよいし、或いは、一方のコンピュータ読み取り可能な記憶媒体から他方のコンピュータ読み取り可能な記憶媒体に伝送されてもよく、例えば、上記コンピュータ指令は、一方のウェブサイトサイト、コンピュータ、サーバ又はデータセンタから有線（例えば、同軸ケーブル、光ファイバ、デジタル加入者線（ＤＳＬ））又は無線（例えば、赤外線、無線、マイクロ波等）の方式により、他方のウェブサイトサイト、コンピュータ、サーバ又はデータセンタに伝送されてもよい。上記コンピュータ読み取り可能な記憶媒体は、コンピュータがアクセス可能な任意の利用可能な媒体であってもよく、或いは、一つ又は複数の利用可能な媒体の集積を含むサーバ、データセンタ等のデータ記憶装置であってもよい。上記利用可能な媒体は、磁気媒体（例えば、フレキシブルディスク、ハードディスク、磁気テープ）、光媒体（例えば、ＤＶＤ）、又は半導体媒体（例えば、ソリッドステートドライブ）等であってもよい。
【０１０９】
上記で説明した装置の実施例は模式的なものであり、分離部材として説明した手段は、物理的に分離されていてもよいし、物理的に分離されていなくてもよく、手段として示された手段は物理的手段であってもよいし、物理的手段でなくてもよく、即ち、一箇所に位置してもよいし、複数のネットワーク手段に分布されてもよい。実際の需要に応じて、そのうちの一部又は全てのモジュールを選択して、本実施例の目的を達成することができる。当業者は創造的な労力を要することなく、理解しながら実施することができる。
【０１１０】
最後に、以上の各実施例は、本願の技術案を説明するためのものに過ぎず、これを制限するものではないことを説明すべきである。上記各実施例を参照して本願を詳細に説明したが、当業者であれば、上記各実施例に記載の技術案を修正したり、その一部又は全部の技術的特徴を均等に置換することが可能であり、それらの修正又は置換は、対応する技術案の要旨を本願の実施例の技術案の範囲から逸脱させるものではないことを理解すべきである。
【図１】
2021532336.tif 000006
【図２】
2021532336.tif 000007
【図３】
2021532336.tif 000008
【図４】
2021532336.tif 000009
【図５】
2021532336.tif 000010
【図６】
2021532336.tif 000011
【図７】
2021532336.tif 000012
【国際調査報告】
2021532336.tif 000013
2021532336.tif 000014
2021532336.tif 000015
2021532336.tif 000016
2021532336.tif 000017